Podtech/llm-jp-corpus-v4-ja_patent huggingface dataset:
【手続補正書】
【提出日】平成16年11月24日(2004.11.24)
【手続補正１】
【補正対象書類名】明細書
【補正対象項目名】請求項１
【補正方法】変更
【補正の内容】
【請求項１】  １つもしくはそれ以上の微細チャンネルを含む少なくとも１つの微細チャンネル構造を有する基板から構成された、温度サイクルの実施に適する微細チャンネル反応装置であって、
（ａ）前記温度サイクルを実施するため、少なくとも１つの前記微細チャンネルの少なくとも一部が反応容量を形成し；
（ｂ）ｉ）加熱により前記温度サイクルが実施される前記少なくとも１つの微細チャンネルの少なくとも一部の前記反応容量を含み、前記微細チャンネルの他の部分は含まない前記基板上の選択された領域と；ｉｉ）前記反応容量内でほぼ均一な温度が得られ、維持されるような前記反応容量内の温度分布とを形成する加熱構造（４２、４４；ｂ１、ｂ２、Ｂ１、Ｂ２；Ｂ１、ｂ２、ｃ１）が設けられている微細チャンネル反応装置。
【手続補正２】
【補正対象書類名】明細書
【補正対象項目名】請求項１３
【補正方法】変更
【補正の内容】
【請求項１３】  前記基板が静止した非回転部材である、請求項１から１１のいずれか一に記載の反応装置。
【手続補正３】
【補正対象書類名】明細書
【補正対象項目名】請求項１６
【補正方法】変更
【補正の内容】
【請求項１６】  微細チャンネル内のサンプルを低温と均一の上昇した温度との間で温度サイクル実施するための方法であって：
（ｉ）請求項１から１３のいずれかに記載の反応装置を提供し；
（ii）温度サイクルにかける液体アリコートを前記１つもしくはそれ以上の反応容量の少なくとも１つに満たし；
（iii）前記装置の加熱構造にエネルギを供給して前記均一の上昇した温度に到達させ；
（iv）前記低温に至るよう前記エネルギの供給を低減させ；
（ｖ）前記ii）とiii）のステップを所望回数繰り返すこと、の各ステップからなる方法。
【手続補正４】
【補正対象書類名】明細書
【補正対象項目名】請求項１９
【補正方法】変更
【補正の内容】
【請求項１９】  （ａ）複数の微細チャンネルを備えた微細チャンネル構造を有する透明な回転ディスク形式の基板であって、前記微細チャンネルの１つの少なくとも一部がＰＣＲを実施するための反応容量を形成し；
（ｂ）適切にエネルギが加えられたときに電磁エネルギを吸収することが可能であり、かつ加熱により前記ＰＣＲが実施される前記少なくとも１つの微細チャンネルの少なくとも一部の前記反応容量を含み、前記微細チャンネルの他の部分は含まない前記基板上の選択された領域に熱を伝達することが可能な材料の層が、少なくとも前記反応容量の形成される領域を覆うように提供される、微細チャンネルＰＣＲ反応装置であって、
前記反応容量を形成する前記微細チャンネルの１つの少なくとも一部が、入口端末と出口端末とを有するＵ字形状に形成され；
前記材料が、前記反応容量を覆うコートされた領域と中間の非コート領域のパターンにレイアウトされ、前記パターンが前記反応容量内に所望の均一温度を形成する装置。
【手続補正書】
【提出日】平成14年10月11日(2002.10.11)
【手続補正１】
【補正対象書類名】明細書
【補正対象項目名】００２５
【補正方法】変更
【補正の内容】
【００２５】
本発明は、特有の粒度分布及び平均粒子径との関係において記述されるが、記述された実施形態から少し変化した平均粒子径と粒度分布を持つ混合炭素を範囲として含むことを意図している。より具体的にいうと、本発明は、平均粒子径が約６０μｍから８０μｍの範囲で且つ＋１４０メッシュ粒子と−５００メッシュ粒子がそれぞれ約１０％未満であるような粒度分布を持った混合炭素を意図している。しかし平均粒子径は、約６５μｍから約７５μｍがより好適であり、約７０μｍのときが最も好適である。＋１４０メッシュ粒子と−５００メッシュ粒子がそれぞれ約８％未満の粒度分布がより好適であり、また＋１４０メッシュ粒子が約７％未満で且つ−５００メッシュ粒子が約７．５％未満の粒度分布が最も好適である。最も好ましい平均粒子径と粒度分布は、濾過性能と流量と製品歩留りと硬さの最適バランスを提供するはずである。図７は、本発明の各種の実施形態に従った各種の混合炭素の粒度分布を示している。図７は、本発明の範囲を限定することを意図していない、それよりむしろ、本発明の目的とする平均粒子径と粒度分布を満足する各種の混合炭素の代表的サンプルを提供することを意図している。


【手続補正２】
【補正対象書類名】図面
【補正対象項目名】図５
【補正方法】変更
【補正の内容】
【図５】
2004513772.tif 000001
【手続補正書】
【提出日】平成16年11月17日(2004.11.17)
【手続補正１】
【補正対象書類名】明細書
【補正対象項目名】特許請求の範囲
【補正方法】変更
【補正の内容】
【特許請求の範囲】
【請求項１】
電気的インパルス又は他の生命徴候を伝達する布ベースのセンサであって、
（ａ）編む又は織る工程により一体化される１つ以上の個々に導電性のある繊維を有する、十分に導電性のあるニット又は織物の布であって、各々の導電性繊維は、布又は繊維に導電コーティングが施されることなく、布に一体化される前より個々に導電性を有する、布と、
（ｂ）前記布をデータ出力端子に接続するための、前記個々に一体化された導電性のある繊維の１つを含む電気リードと、
を有する布ベースのセンサ。
【請求項２】
前記データ出力端子がスナップコネクタである、請求項１に記載の布ベースのセンサ。
【請求項３】
請求項１に記載の布ベースのセンサを少なくとも１つ含む衣類。
【請求項４】
被験者の生命徴候又は他の電気的インパルスを監視する方法であって、
請求項１に記載の布ベースのセンサを被験者に適用し、
前記データ出力端子をモニタに接続することを含む方法。
【請求項５】
被験者に電気的インパルスを与える方法であって、
請求項１に記載の布ベースのセンサを被験者に適用し、
前記データ出力端子をインパルス送出装置に接続し、
前記センサを介して被験者に前記インパルスを送ることを含む方法。
【請求項６】
被験者の生命徴候又は他の電気的インパルスを監視する方法であって、
請求項１に記載の布ベースのセンサを被験者に適用し、
前記データ出力端子を着用可能マザーボードに接続することを含み、
該着用可能マザーボードが、
布のベースとして作用する快適性コンポーネントと、
該快適性コンポーネントに一体化されて布を形成し１つ以上の個々に絶縁された導電性繊維で構成される絶縁導電性コンポーネントを含む検出コンポーネントと、を含む布であり、
前記布ベースのセンサの電気リードが前記着用可能マザーボードの検出コンポーネントに接続され、前記布ベースのセンサから生命徴候又は電気的インパルスデータを収集する、方法。
【請求項７】
前記十分に導電性のある布がニットである、請求項４に記載の方法。
【請求項８】
前記十分に導電性のある布が織物である、請求項４に記載の方法。
【請求項９】
前記データ出力端子がスナップコネクタである、請求項４に記載の方法。
【請求項１０】
請求項１に記載の布ベースのセンサを少なくとも１つ含む衣類。
【請求項１１】
布ベースのセンサを被験者に適用し、
前記データ出力端子を前記布ベースのセンサ又は着用可能マザーボードのいずれかに接続することを含む、請求項４に記載の方法。
【請求項１２】
被験者の生命徴候又は他の電気的インパルスを監視する方法であって、
請求項１に記載の布ベースのセンサを被験者に適用し、
前記データ出力端子を着用可能マザーボードに接続することを含み、
該着用可能マザーボードが、
布のベースとして作用する快適性コンポーネントと、
該快適性コンポーネントに一体化されて布を形成し１つ以上の個々に絶縁された導電性繊維で構成される絶縁導電性コンポーネントを含む検出コンポーネントと、を含む布であり、
前記布ベースのセンサが前記着用可能マザーボードの検出コンポーネントに接続される、方法。
【請求項１３】
インパルス送出装置を布ベースのセンサ又は着用可能マザーボードの検出コンポーネントのいずれかに接続し、前記布ベースのセンサを介して被験者にインパルスを送ることをさらに含む、請求項１２に記載の方法。
【請求項１４】
前記布ベースのセンサの前記個々に導電性のある繊維は編まれている、請求項１２に記載の方法。
【請求項１５】
前記布ベースのセンサの前記個々に導電性のある繊維は織られている、請求項１２に記載の方法。
【請求項１６】
前記布ベースのセンサの電気リードが、コネクタによって前記着用可能マザーボードの検出コンポーネントに接続されている、請求項６又は１１又は１２に記載の方法。
【請求項１７】
前記布ベースのセンサが、衣類の布に一体化されている、請求項６又は１１又は１２に記載の方法。
【請求項１８】
前記布ベースのセンサが、前記着用可能マザーボードとは別個である、請求項６又は１１又は１２に記載の方法。
【手続補正書】
【提出日】平成16年10月14日(2004.10.14)
【手続補正１】
【補正対象書類名】明細書
【補正対象項目名】請求項１
【補正方法】変更
【補正の内容】
【請求項１】  可撓性材料から製造されて互いに隣接する複数のポケット（50;150,182,183,184）を備え、個々のポケットは底部にボール出口(55;166)を有し、そのボール出口がゴルフ球を収集する共通の貯蔵所(22)に連通しているゴルフ球収集装置において、開口部形成材（163）が個々のポケットを開口状態に保持する配置で各ポケットに取り付けられていることを特徴とする前記のゴルフ球収集装置。
【手続補正書】
【提出日】平成17年1月27日(2005.1.27)
【手続補正１】
【補正対象書類名】明細書
【補正対象項目名】特許請求の範囲
【補正方法】変更
【補正の内容】
【特許請求の範囲】
【請求項１】  デバイスハウジングを有する植込み型パルス発生器（１０）、
前記デバイスハウジング内に位置しかつ前記植込み型パルス発生器に接続された検出回路（１４６）、および
前記植込み型パルス発生器に接続された皮下電極アレイ（３００）であって、検出回路による不整脈の検出によって、該電極アレイの複数の電極の内の１個と該電極アレイの１個またはそれ以上の電極とデバイスハウジングとの間において患者に電気的刺激を供給するための皮下電極アレイ、を具備する、患者に不整脈治療を提供するためのシステム。
【請求項２】  請求項１に記載のシステムであって、前記皮下電極アレイは、患者に比較的高電圧の電気的刺激を提供するための除細動電極アレイである、患者に不整脈治療を提供するためのシステム。
【請求項３】  請求項１に記載のシステムであって、前記検出回路は除脈性不整脈発作を検出するための回路を含み、さらに前記皮下電極アレイは除脈性不整脈の発作の検出にあたって、患者に少なくとも１個のペーシングパルスを供給するように構成されている、患者に不整脈治療を提供するためのシステム。
【請求項４】  請求項１に記載のシステムであって、前記検出回路は心臓信号を検出するために前記デバイスハウジングの少なくとも第１の表面上に少なくとも２個の検出電極を含む、患者に不整脈治療を提供するためのシステム。
【請求項５】  請求項２に記載のシステムであって、前記検出回路は除細動電極と前記デバイスハウジングとを不整脈の検出に使用する、患者に不整脈治療を提供するためのシステム。
【請求項６】  請求項１に記載のシステムであって、前記デバイスハウジングは高電圧ショックを施すために少なくとも１個の表面を含む、患者に不整脈治療を提供するためのシステム。
【請求項７】  請求項４に記載のシステムであって、前記デバイスハウジングは高電圧ショックを施すための少なくとも１個の表面を含み、さらに高電圧ショックを施す前記表面は前記デバイスハウジングの少なくとも第１の表面とは異なる、患者に不整脈治療を提供するためのシステム。
【請求項８】  ａ）皮下パルス発生器を提供し、
ｂ）不整脈に対して患者の心臓信号をモニタするためのモニタ回路を提供し、さらに、
ｃ）患者に電気的治療を施すために皮下電極アレイを提供する、各ステップを含む、患者の不整脈を治療するための方法。
【請求項９】  ａ）不整脈を検出し、さらに
ｂ）検出された不整脈に基づいて治療を施すために少なくとも１個の皮下電極を使用する、各ステップを含む、不整脈を治療するために皮下設置されたパルス発生器を使用する方法。
【請求項１０】  請求項９に記載の方法であって、前記検出された不整脈は頻脈性不整脈であり、前記少なくとも１個の皮下電極は除細動電極を含み、さらに前記施された治療は比較的高電圧のショックである、不整脈を治療するために皮下設置されたパルス発生器を使用する方法。
【請求項１１】  請求項９に記載の方法であって、前記検出された不整脈は除脈性不整脈であり、さらにステップｂは検出された除脈性不整脈に応答してペーシングパルスを供給することを含む、不整脈を治療するために皮下に設置されたパルス発生器を使用する方法。
【請求項１２】  デバイスハウジングを含む皮下パルス発生器（１０）、
パルス発生器の表面上に配置され、かつ皮下組織の近くに位置する少なくとも１個の検出電極（Ａ，Ｂ，Ｃ）、および
患者の皮下に位置する電極アレイ（３００）であって、該電極アレイの複数の電極の１個と該電極アレイの１個または複数の電極と前記デバイスハウジングとの間に電気的エネルギを供給するために、前記パルス発生器に接続された電極アレイ、を含む、患者の心臓に電気的エネルギを供給するためのシステム。
【請求項１３】  患者の心臓信号をモニタするための装置であって、
密封封止されたハウジング、
前記ハウジング内に含まれる検出手段、および
前記検出手段に接続された第１および第２の電極セットであって、前記第１の電極セットは患者の身体中の第１の位置において皮下組織の近くに位置可能なハウジングの１表面に隣接する少なくとも１個の電極を含み、さらに前記第２の電極セットは前記ハウジング上のコネクタに接続され、かつ前記第１の位置とは異なる位置において患者の身体内に皮下設置可能な電極アレイを形成するもの、を具備し、前記装置は、前記第１の電極セットの複数の電極の１個と、前記第２の電極セットの１個またはそれ以上の電極と、前記ハウジングとの間の信号を検出する、患者の心臓信号をモニタするための装置。
【手続補正書】
【提出日】平成15年7月11日(2003.7.11)
【手続補正１】
【補正対象書類名】明細書
【補正対象項目名】請求項８
【補正方法】変更
【補正の内容】
【請求項８】
操作データの瞬間設定をメモリユニット（３３）に送ってこれらのデータをメモリユニット（３３）に格納するための、好ましくは手動で作動できるコマンド手段（１７）を有することを特徴とする請求項７に記載の電気外科装置。
【手続補正書】
【提出日】平成15年6月4日(2003.6.4)
【手続補正１】
【補正対象書類名】明細書
【補正対象項目名】０００４
【補正方法】変更
【補正の内容】
【０００４】
本発明の課題は、上記記載のタイプの付属部品を保持するための装置であって、X線透過材料から成る患者支持面に対しても付属部品を設けることのできる装置を提供することにある。


【手続補正２】
【補正対象書類名】明細書
【補正対象項目名】０００６
【補正方法】変更
【補正の内容】
【０００６】
本発明に従う解決策の特徴は、患者支持面を通過するX線の伝導を妨害しないために、アクセサリアダプタが患者支持面に沿って移動できる、あるいは必要があれば完全に取り外すことができる点にある。他方、アクセサリパーツは依然として患者支持面に直接取り付けることができるので、患者支持面への自由なアクセスが確保される。


【手続補正３】
【補正対象書類名】明細書
【補正対象項目名】００１０
【補正方法】変更
【補正の内容】
【００１０】
【発明の実施の形態】
図１は、テーブル支柱１２と、参照番号１４で示される患者支持面とを備えた参照番号１０で示される手術台又は診察台を示している。患者支持面１４は、図１の両側矢印Aの方向、つまりその長手方向に移動できるようにスライド可能に支持されている。患者支持面１４はテーブル支柱１２の頭部に配置されたガイドハウジング１６内に支持されている。患者支持面１４は、テーブルプレート（table plate）１８を備え、テーブルプレート１８の上にはクッション２０が配置される。テーブルプレート１８は、例えば炭素繊維強化プラスチックのようなX線透過材料から成り、下側に向かって縮小した台形断面を有する。テーブルプレート１８の上面を形成する台形面は、その外縁２２がテーブルプレート１８の縁（エッジ）を形成するまで外側に延出している。テーブルプレート１８の側面（外郭：profile）には、参照番号２４で示されるアクセサリアダプタが取り付けられる。アクセサリアダプタは、図２〜図４を用いて詳細に説明される。


【手続補正４】
【補正対象書類名】明細書
【補正対象項目名】００１１
【補正方法】変更
【補正の内容】
【００１１】
アクセサリアダプタ２４は、フレーム２８によって互いに連結された二つの顎部２６から構成されており、二つの顎部２６とフレーム２８とは一体品に成形されている。各爪部２６は爪開口部３０を有する。爪開口部３０は、アクセサリアダプタ２４のテーブルプレート１８上への取り付けに際して、端縁２２をそれぞれ受け入れる（収容する）。フレーム２８の形状は、テーブルプレート１８の台形側面に倣うように適合しており、図１に示されるように、アクセサリアダプタ２４がテーブルプレート１８に押し込まれる、又は取り付けられたときに、フレーム２８はテーブルプレート１８の下面に近接して延出する。スライドレール３２が、各顎部２６の外側にボルト３４の助力によって固定される。このスライドレール３２は、金属材から成っており、手術台プレートの通常のスライドレールと同様の形状を有している。従って、通常のクランプ機構を備えた通常の付属部品をスライドレール３２上に取り付けることができる。


【手続補正５】
【補正対象書類名】明細書
【補正対象項目名】００１２
【補正方法】変更
【補正の内容】
【００１２】
アクセサリアダプタ２４をテーブルプレート１８の所望の位置へ固定するには、顎部２６内に配置されたクランプ装置の助力によって達成される。各クランプ装置は、顎開口部３０内をスライドレール３２と平行に延びるクランプレール３６を備え、テーブルプレート１８の端縁２２の下側に横たわるように設計されている。クランプレール３６はそれぞれ、二つの下向きの凸部３８を有している。各凸部３８は、ボルト４２をねじ込み可能なボア４０を備えており、ボルト４２はアクセサリアダプタ２４の凹部４４内に収容可能となっている。各凹部４４はクランプレール３６のクランプ面４６に対して垂直であり、ボルト４２の直径より大きくなっている。このため、クランプレール３６は、そのクランプ面４６に対して垂直に移動できる。顎部２６の部材内に螺合される偏心クランプスクリュー又はトグルスクリュー（toggle screw）４８からなる手段によって、クランプレール３６を持ち上げることができる。これによって、そのクランプ面４６を、テーブルプレート１８の端縁２２の下面に対して押し付けること、又はクランプ面４６を下方に移動することが出来る。従って、アクセサリアダプタ２４を、テーブルプレート１８に対して固定したり、取り外したりできる。クランプ又はつまみスクリュー（thumb screw）４８の軸は、フレームの中央部に対して約４５°の角度で傾斜可能であることからも分かるように、クランピングスクリュー４８は、スライドレール３２と干渉することなく容易に操作可能である。


【手続補正６】
【補正対象書類名】明細書
【補正対象項目名】００１４
【補正方法】変更
【補正の内容】
【００１４】
図４では、クランプレール３６が、アクセサリアダプタ２８の顎部２６を超えて両側面から外側に延出して示される。これらクランプレール３６の突出部は切換片（switching strips）として使用できる。アクセサリアダプタ２４がガイドハウジング１６に接近したときに、切換片が図示しないリミットスイッチを作動させて、サポート面１４の移動用の駆動装置をオフする。これによって、ガイドハウジング１６とアクセサリアダプタ２４との間で起こりうる衝突を回避する。


【手続補正７】
【補正対象書類名】明細書
【補正対象項目名】００１５
【補正方法】変更
【補正の内容】
【００１５】
本発明のアクセサリアダプタ２４において、重い付属部品によって生じるスライドレールの長手方向へのモーメントは、アダプタの反対側において吸収される。これは、アクセサリアダプタ２４の二つの顎部２６が橋状に連結されているためである。これにより、サポート面１４の側面の局部的な負荷が広い領域に分散され、緩和される。サポート面１４とアクセサリアダプタ２４との連結形状によって、アクセサリの予期しない外れ・緩みを防ぎ、部品の落下による患者の怪我などを回避できる。
【手続補正書】
【提出日】平成16年10月14日(2004.10.14)
【手続補正１】
【補正対象書類名】明細書
【補正対象項目名】請求項１１
【補正方法】変更
【補正の内容】
【請求項１１】  腕時計のようなハウジング、該ハウジング内に設けられた電気鍼療刺激を発生する回路、および、前記ハウジングを手首に固定する手段を備えた電気鍼療法装置であって、
前記ハウジングに着脱可能な電極ユニットと前記電極ユニットに装着される１対の電極とをさらに有し、
前記電極ユニットは、前記電極を前記回路に接続するとともに前記ユニットを前記ハウジングに着脱可能に取り付けるコネクタを含むことを特徴とする装置。
【手続補正書】
【提出日】平成15年4月18日(2003.4.18)
【手続補正１】
【補正対象書類名】明細書
【補正対象項目名】特許請求の範囲
【補正方法】変更
【補正の内容】
【特許請求の範囲】
【請求項１】
クラスタリンをコードする核酸分子の3' UTR、イントロン、イントロン-エクソン接合部、またはコード領域の核塩基106-1402を標的とする長さ8〜50の核塩基のアンチセンス化合物であって、クラスタリンに特異的にハイブリダイズし、そしてその発現を阻害する、前記アンチセンス化合物。
【請求項２】
アンチセンスオリゴヌクレオチドである、請求項1に記載の化合物。
【請求項３】
アンチセンスオリゴヌクレオチドがSEQ ID NO: 18、19、20、21、22、23、24、25、26、27、28、29、30、31、32、33、34、35、36、37、38、39、40、41、42、43、44、45、46、47、48、49、50、51、52、53、54、55、56、57、58、60、61、62、63、64、65、66、67、69、70、71、72、73、74、76、78、79、80、82、83、84、85、86、87、88または89を含む配列を有する、請求項2に記載の化合物。
【請求項４】
アンチセンスオリゴヌクレオチドが少なくとも一つの修飾ヌクレオシド間結合を含む、請求項2に記載の化合物。
【請求項５】
修飾ヌクレオシド間結合がホスホロチオエート結合である、請求項4に記載の化合物。
【請求項６】
アンチセンスオリゴヌクレオチドが、少なくとも一つの修飾糖部分を含む、請求項2に記載の化合物。
【請求項７】
修飾糖部分が2'-O-メトキシエチル糖部分である、請求項6に記載の化合物。
【請求項８】
アンチセンスオリゴヌクレオチドが少なくとも一つの修飾核塩基を含む、請求項2に記載の化合物。
【請求項９】
修飾核塩基が5-メチルシトシンである、請求項8に記載の化合物。
【請求項１０】
アンチセンスオリゴヌクレオチドがキメラオリゴヌクレオチドである、請求項2に記載の化合物。
【請求項１１】
クラスタリンをコードする核酸分子上の活性部位の少なくとも8-核塩基部分と特異的にハイブリダイズする、長さ8〜50核塩基の化合物。
【請求項１２】
請求項1に記載の化合物および医薬的に許容可能な担体または希釈剤を含む、組成物。
【請求項１３】
コロイド分散システムをさらに含む、請求項12に記載の組成物。
【請求項１４】
化合物がアンチセンスオリゴヌクレオチドである、請求項12に記載の組成物。
【請求項１５】
細胞または組織においてクラスタリンの発現を阻害する方法であって、前記細胞または組織と請求項1に記載の化合物とを接触させ、それによりクラスタリンの発現を阻害することを含む、前記方法。
【請求項１６】
クラスタリンの発現を阻害することによりクラスタリンと関連する疾患または症状を有する動物を治療するための、治療的または予防的有効量の請求項1に記載の化合物を含む医薬組成物。
【請求項１７】
疾患または症状が高コレステロール血症である、請求項16に記載の医薬組成物。
【請求項１８】
疾患または症状が心臓血管障害である、請求項16に記載の医薬組成物。
【請求項１９】
疾患または症状が過剰増殖性障害である、請求項16に記載の医薬組成物。
【請求項２０】
疾患または症状が高脂血症障害である、請求項16に記載の医薬組成物。
【手続補正書】
【提出日】平成15年4月25日(2003.4.25)
【手続補正１】
【補正対象書類名】明細書
【補正対象項目名】特許請求の範囲
【補正方法】変更
【補正の内容】
【特許請求の範囲】
【請求項１】
核酸をベースとするサンプル（そこでは標的核酸が標的実体内に含有されている）分析において、非生育リポソーム粒子が、内部標準として内部コントロール(IC)核酸配列を含み、かつ該リポソーム粒子はその標的実体に酷似するように選択または改変されており、これにより同一工程で、その標的実体とともに該サンプルから該粒子が分離できることとなっている、非生育リポソーム粒子の使用。
【請求項２】
上記の選択または改変は、上記リポソーム粒子を含有する脂質の全部もしくは一部の選択または変性を含むことを特徴とする、請求項１に記載の使用。
【請求項３】
上記粒子は、上記標的実体と類似の密度を有することを特徴とする、請求項1または2に記載の使用。
【請求項４】
上記リポソーム粒子が改変された結果、該粒子の密度は上昇していることを特徴とする、請求項３に記載の使用。
【請求項５】
上記リポソーム粒子が改変されて、多糖類を取り込むか、あるいは高密度溶液で中心核部を満たしていることを特徴とする、請求項４に記載の使用。
【請求項６】
上記多糖類がブルーデキストランまたはデキストラン・サルフェートであることを特徴とする、請求項５に記載の使用。
【請求項７】
上記リポソームは、その粒子の内にもしくは上に上記標的実体に見出される表面のタンパク質もしくは分子を導入するように改変されることを特徴とする、請求項１〜６のいずれかに記載の使用。
【請求項８】
上記タンパク質もしくは分子は、該粒子が選択的に捕捉されるようにすることを特徴とする、請求項７に記載の使用。
【請求項９】
上記粒子が親和性分離または免疫分離の手法により選択的に捕捉されることを特徴とする、請求項８に記載の使用。
【請求項１０】
上記リポソーム粒子は、上記標的実体を分解するのと同一の条件下で分解されることを特徴とする、請求項１〜９のいずれかに記載の使用。
【請求項１１】
上記リポソーム粒子は、アッセイおよびサンプルの条件下で、該標的実体に対し同一であるかまたは類似である安定性を有するように選択または改変されることを特徴とする、請求項１〜10のいずれかに記載の使用。
【請求項１２】
上記リポソーム粒子の安定性が改変されることを特徴とする、請求項11に記載の使用。
【請求項１３】
上記リポソーム粒子の安定性が上昇することを特徴とする、請求項12に記載の使用。
【請求項１４】
上記リポソームは、熱安定性細菌に由来する不活性かつ親水性のポリマーもしくはタンパク質で被覆されているか、または熱安定性細菌に由来する脂質を用いて改変されており、あるいは上記リポソームが架橋タンパク質によっては改変されていないことを特徴とする、請求項13に記載の使用。
【請求項１５】
上記親水性ポリマーがＰＥＧであるか、あるいは熱的に安定なタンパク質がＳ層タンパク質であることを特徴とする、請求項14に記載の使用。
【請求項１６】
上記リポソーム粒子が、ポリエチレングリコールのホスホリピッド誘導体、たとえばＰＥＧ−ＰＥ（Ｎ−（ω−メトキシポリ−（オキシエチレン）オキシカルボニル）−ＤＳＰＥ）であるホスホリピッドをある割合で含むことを特徴とする、請求項1〜15のいずれかに記載の使用。
【請求項１７】
上記リポソーム粒子はカチオン性リポソームであることを特徴とする、請求項1〜16のいずれかに記載の使用。
【請求項１８】
上記リポソーム粒子が、ＰＯＰＣ（１−パルミトイル−２−オレオイル−ｓｎ−グリセロ−３−ホスホコリン）またはＤＯＰＥ（１,２−ジオレオイル−３−ｓｎ−ホスファチジルエタノールアミン）の１以上の中性脂質、ならびにＤＤＡＢ（臭化ジメチルジオクタデシルアンモニウム）、ＤＯＴＡＰ（１，２−ジオレオイルオキシ−３−（トリメチルアンモニウム）プロパン）またはＤＯＳＰＡ（２，３−ジオレオイルオキシ−Ｎ-[２（スペルミン−カルボキサミド）エチル]−Ｎ,Ｎ−ジメチル−１−プロパンアミニウムトリフルオロアセテート）の１以上の正荷電脂質を含むことを特徴とする、請求項1〜17のいずれかに記載の使用。
【請求項１９】
上記標的実体は、細胞、好ましくは多細胞生物または単細胞生物からの細胞であることを特徴とする、請求項1〜18のいずれかに記載の使用。
【請求項２０】
上記標的実体は、ウィルスまたはバクテリオファージであることを特徴とする、請求項1〜18のいずれかに記載の使用。
【請求項２１】
上記ＩＣ核酸は、上記非生育粒子内部にカプセル化されていることを特徴とする、請求項1〜20のいずれかに記載の使用。
【請求項２２】
上記ＩＣ核酸配列は、擬似理想もしくは非理想のＩＣ核酸配列であることを特徴とする、請求項1〜21のいずれかに記載の使用。
【請求項２３】
上記ＩＣ核酸配列は、50〜500個塩基の長さであることを特徴とする、請求項1〜22のいずれかに記載の使用。
【請求項２４】
上記の核酸をベースとする分析は、標的核酸の増幅を含む技術であることを特徴とする、請求項1〜23のいずれかに記載の使用。
【請求項２５】
上記の核酸をベースとする分析は、ＰＣＲ、ＬＣＲ、ギャップ（Gap）-ＬＣＲ、ＮＡＳＢＡまたはＴＭＡであることを特徴とする、請求項24に記載の使用。
【請求項２６】
上記分析は定量分析であることを特徴とする、請求項1〜25のいずれかに記載の使用。
【請求項２７】
上記粒子は、遠心分離または沈降法を使用して、サンプルから標的実体とともに分離されることを特徴とする、請求項1〜26のいずれかに記載の使用。
【請求項２８】
内部コントロール核酸配列が内部標準として使用され、分析されるサンプルを、内部コントロール（ＩＣ）核酸配列を含む非生育リポソーム粒子と接触させる工程を含むこと、さらに該リポソーム粒子、該ＩＣ核酸配列および核酸をベースとする分析が請求項1〜27のいずれかにおいて定義されていることを特徴とする、核酸をベースとする分析の方法。
【請求項２９】
以下の工程を含む、請求項28の方法：
（i）分析されるサンプルを得ること；
（ii）該サンプルを、適当な内部コントロール核酸を含む非生育粒子と接触させること；
（iii）サンプル内から分析される核酸を遊離させ、非生育粒子内から内部コントロール核酸を遊離させることを含むこと；
（iv）遊離した核酸を分析すること。
【請求項３０】
請求項1〜29のいずれかに記載の方法および使用における使用のためにＩＣ核酸を含む非生育リポソーム粒子。
【請求項３１】
上記粒子または上記ＩＣ核酸が、先行する請求項のいずれかに定義されたものであることを特徴とする、請求項30に記載の非生育粒子。
【請求項３２】
上記粒子が、多糖類、好ましくはブルーデキストランまたはデキストラン・サルフェートを含むことを特徴とする、請求項31に記載の非生育粒子。
【請求項３３】
先行する請求項のいずれかに記載の方法および使用を実施するためのキットであり、適当なＩＣ核酸を含有する非生育リポソーム粒子を含むことを特徴とするキット。
【請求項３４】
上記の非生育粒子およびＩＣ核酸が先行する請求項のいずれかにおいて定義されたものであることを特徴とする、請求項33に記載のキット。
【手続補正書】
【提出日】平成15年11月10日(2003.11.10)
【手続補正１】
【補正対象書類名】明細書
【補正対象項目名】特許請求の範囲
【補正方法】変更
【補正の内容】
【特許請求の範囲】
【請求項１】
ａ）液体ゾルゲルプリカーサ内に組み入れられた１つまたは複数の標識を含む液体組成物を準備するステップと、
ｂ）前記液体ゾルゲルプリカーサ組成物を、薄い均一層として透明なスライドにコーティングするステップと、
ｃ）分析すべき液体試料をフィルタに通し、前記フィルタをゾルゲルコーティングスライドに密着させることにより、前記試料から微生物を分離するステップと、
ｄ）前記フィルタおよび前記ゾルゲルコーティングスライドを、微生物による１つまたは複数の標識の取込みを促進するのに適した時間および温度にて、同時にインキュベートするステップと、
ｅ）微生物が取込んだ標識から検出可能なシグナルを発生させるために、前記ゾルゲルコーティングスライドを外部エネルギ源で照射するステップと、
ｆ）前記微生物が発する前記検出可能シグナルの画像を取得し、前記画像をコンピュータシステムで分析して、前記微生物の同定および計数を行うステップと、
を含む、生菌を検出および計数する方法。
【請求項２】
微生物が細菌である、請求項１に記載の方法。
【請求項３】
エネルギ源が、ＵＶ光である、請求項１に記載の方法。
【請求項４】
微生物が、水、乳、食品、唾液、尿、咽喉培養試験、創傷、痰、胃内容物、または糞便から分離されたものである、請求項１に記載の方法。
【請求項５】
標識が、３−カルボキシウンベリフェリルβ−Ｄ−ガラクトピラノシド、４−クロロメチル−６，８−ジフルオロウンベリフェリルβ−Ｄ−ガラクトピラノシド、４−メチルウンベリフェリルβ−Ｄ−ガラクトピラノシド、フルオレセインジＰ−Ｄ−ガラクトピラノシド、６，８−ジフルオロ−４−メチルウンベリフェリルβ−Ｄ−グルクロニドリチウム塩、２−ドデシルレゾルフィン、Ｅｌｆ−９７、フルオレセインジ−β−グルクロニド、５−（ペンタフルオロベンゾイルアミノ）フルオレセインジ−β−Ｄ−グルクロニド、およびβ−トリフルオロメチルウンベリフェリルβ−Ｄ−グルクロニドからなる群から選択される、請求項１に記載の方法。
【請求項６】
標識が、それ自体に抗生物質を付着または結合させて含んでいる、請求項１に記載の方法。
【請求項７】
抗生物質が、クロラムフェニコール、エリスロマイシン、テトラサイクリン、ストレプトマイシン、ポリミキシン、ナリジクス酸、ノボビオシン、トリメトプリム、リファンピシン、ペニシリンからなる群から選択される、請求項１に記載の方法。
【請求項８】
標識が、リポソーム；フィルム；多分子層、網状、層状、葉状、螺旋状、管状および線維状の形状物；溶媒和したロッド；溶媒和したコイル；およびこれらの組み合わせとして提供される、請求項１に記載の方法。
【請求項９】
ピリジンまたはＫ2ＳＯ4を含む、請求項１に記載の方法。
【請求項１０】
計数される微生物の数が１０3ｍｌ-1未満である、請求項１に記載の方法。
【請求項１１】
スライドおよびフィルタが、３０分〜６時間にわたり３５〜４４℃で、同時にインキュベートされる、請求項１に記載の方法。
【請求項１２】
標準フレームグラバと、
アレイ状ＣＣＤカメラと、
光学システムと、
機械的ｘｙテーブルと、
自動焦点システムと、
蛍光灯発生源と、
を含む、請求項１〜１１のいずれかに記載の方法。
【請求項１３】
フレームグラバの速度が３０フレーム／秒であり、フレームサイズが６４０×４８０ｐｉｘｅｌである、請求項１２に記載のシステム。
【請求項１４】
請求項１〜１３のいずれかに記載の方法を用い、微生物を同定および計数するための少なくとも１つの標識を含む均一多孔質物質の使用方法。
【手続補正書】
【提出日】平成16年11月8日(2004.11.8)
【手続補正１】
【補正対象書類名】明細書
【補正対象項目名】特許請求の範囲
【補正方法】変更
【補正の内容】
【特許請求の範囲】
【請求項１】  オリゴヌクレオチド、リンカー、および固相支持体を含む複合体を、オリゴヌクレオチドからリンカーを切断する条件下で、気体状の求核性組成物に接触させる段階を含む、オリゴヌクレオチドからリンカーを切断する方法。
【請求項２】  リンカーがユニバーサルリンカーである、請求項１記載の方法。
【請求項３】  オリゴヌクレオチドを固相支持体に連結させるリンカーが、3'末端ヌクレオチドではない、請求項１記載の方法。
【請求項４】  切断される結合が、オリゴヌクレオチドの3'-OHと、リンカーのホスフェートとの間のエステル結合である、請求項１記載の方法。
【請求項５】  リンカーが、除去される際に、リンを含む複素環を製造する、請求項４記載の方法。
【請求項６】  リンカーが、2つのビシナルなヘテロ原子を含む、請求項１記載の方法。
【請求項７】  リンカーが、ビシナルジオールを含む、請求項１記載の方法。
【請求項８】  リンカーが、ビシナルアミノアルコールを含む、請求項１記載の方法。
【請求項９】  リンカーが、ビシナルチオールアルコールを含む、請求項１記載の方法。
【請求項１０】  気体状の求核性化合物が、アンモニアの蒸気である、請求項１記載の方法。
【請求項１１】  気体状の求核性化合物が、水和アンモニアの蒸気である、請求項１記載の方法。
【請求項１２】  条件として、約1分から約240分間、工程を実施することを含む、請求項１記載の方法。
【請求項１３】  条件として、約60分間、工程を実施することを含む、請求項12記載の方法。
【請求項１４】  条件として、室温程度から約150℃で工程を実施することを含む、請求項１記載の方法。
【請求項１５】  条件として、約95℃で工程を実施することを含む、請求項14記載の方法。
【請求項１６】  オリゴヌクレオチドの末端ヌクレオチドの3'ヒドロキシルとリンカーとの間のエステル結合が、実質的に切断される、請求項１記載の方法。
【請求項１７】  切断されたオリゴヌクレオチドが、固相を水または緩衝液で洗浄することにより回収される、請求項16記載の方法。
【請求項１８】  水酸化アンモニウムの蒸気を、95℃および80 psiで120分、リンカー、オリゴヌクレオチド、および固相支持体を含む複合体に接触させ、オリゴヌクレオチドからリンカーを切断する段階を含む、オリゴヌクレオチドからリンカーを切断する方法。
【請求項１９】  オリゴヌクレオチド、リンカー、固相支持体複合体が、式：
【化１】
2004513629.tif 000001
（式中、Xはオリゴヌクレオチドの末端であり、Sは固相支持体であり、Rは選択的に置換されたテトラヒドロフラン環、フェニル環、またはシクロペンタン環であり、およびR'は保護基であり、ならびにZはO、S、またはSeである）
を有する、請求項１記載の方法。
【請求項２０】  Xが、オリゴヌクレオチドの3'末端ヌクレオチドである、請求項19記載の方法。
【請求項２１】  保護基が、DMTr基、アシル基、アリール基、シリル基、トリフルオロアセチル基、ベンジル基、または置換されたベンジル基もしくはアリール基である、請求項19記載の方法。
【手続補正書】
【提出日】平成15年5月12日(2003.5.12)
【手続補正１】
【補正対象書類名】明細書
【補正対象項目名】特許請求の範囲
【補正方法】変更
【補正の内容】
【特許請求の範囲】
【請求項１】
埋め込み可能な整形外科学的支持装置において、
可撓性組織材料製の全体に平らな複数のシートを含み、これらの複数のシートは、隣接したシート間で移動が起こらないように互いに重ねて連結されている、装置。
【請求項２】
請求項１に記載の装置において、前記複数のシートの少なくとも実質的部分は、全体に円形断面を有し、中央孔が前記複数のシートのうちの少なくとも幾つかを通って延びている、装置。
【請求項３】
請求項２に記載の装置において、前記中央孔は前記複数のシートの各々について内径を画成し、外径が前記複数のシートの外周によって画成され、前記中央孔近くの断面厚さがその外周近くの断面厚さよりも小さいように前記シートのうちの幾つかの内径が異なっている、装置。
【請求項４】
請求項２又は３に記載の装置において、本装置の断面厚さは、その中央孔近くの小さい寸法までテーパしている、装置。
【請求項５】
請求項１に記載の装置において、前記複数のシートの少なくとも実質的部分を通って軸線方向に延びる第１及び第２の孔を更に含み、これらの第１及び第２の孔は、患者の内側半月及び外側半月の関連した位置に従って配置されており、これによって本装置は半月プロテーゼを形成する、装置。
【請求項６】
請求項５に記載の装置において、前記複数のシートの各々の第１及び第２の孔の各々は所定の直径を有し、前記複数のシートのうちの幾つかの前記第１孔の直径は、前記第１孔の近くの断面厚さが前記第１孔から遠い断面厚さよりも小さいように、前記複数のシートのうちの他のシートの前記第１孔の直径と異なっている、装置。
【請求項７】
請求項６に記載の装置において、前記複数のシートの幾つかの第２孔の直径は、本装置の第２孔近くの断面厚さは、第２孔から離れた断面厚さよりも小さいように、前記複数のシートのうちの他のシートの第２孔の直径と異なっている、装置。
【請求項８】
請求項５、６、又は７に記載の装置において、本装置の前記断面厚さは、その第１及び第２の孔の各々を取り囲む小さな寸法までテーパしている、装置。
【請求項９】
請求項５乃至８のうちのいずれか一項に記載の装置において、前記第１及び第２の孔は、前記複数のシートの全てを通って軸線方向に延びている、装置。
【請求項１０】
請求項５乃至９のうちのいずれか一項に記載の装置において、前記第１及び第２の孔の中間で前記プロテーゼを通して形成された第３孔を更に含み、可撓性組織材料製のブリッジが前記第３孔の向き合った側部を相互連結する、装置。
【請求項１１】
請求項１乃至１０のうちのいずれか一項に記載の装置において、前記可撓性組織材料は動物の心膜を含む、装置。
【手続補正書】
【提出日】平成14年7月30日(2002.7.30)
【手続補正１】
【補正対象書類名】明細書
【補正対象項目名】請求項１
【補正方法】変更
【補正の内容】
【請求項１】
シューズ・スタッド（１、１０１）とレセプタクル（２、１０２）との２つのコンポーネントの組み合わせであって、シューズ・スタッドは地面に食い込む部分（４）を含み、また前記２つのコンポーネントは、２つのコンポーネントの一方にあるネジ山付きソケット（３７、１３７）に回転させて挿入するようになっている、他方のコンポーネントにあるネジ山付きスピゴット（５、１０５）を備える多条ネジ結合と、少なくともスピゴットが完全にソケットに挿入されてアセンブリを形成したときには、このアセンブリのネジがゆるむことを阻止するために、互いに噛み合う状態になるように配置されている、コンポーネントをロックする手段（１３、１１３）とにより互いに固定されるようになっており、スタッド（１、１０１）とレセプタクル（２、１０２）とが、レセプタクルに対するスタッドの最初の位置を決めるための手段（１１、１２；１１１、１１２）と、レセプタクルに対するスタッドの最終の位置を決める手段（１３、１１３）とを有することを特徴とする組み合わせ。
【手続補正書】
【提出日】平成15年6月27日(2003.6.27)
【手続補正１】
【補正対象書類名】明細書
【補正対象項目名】特許請求の範囲
【補正方法】変更
【補正の内容】
【特許請求の範囲】
【請求項１】
配列番号３を含む精製ポリヌクレオチド。
【請求項２】
組換えヒトtssk遺伝子構成物であって、配列番号３に作動可能なように連結させた非天然プロモーターを含む当該構成物。
【請求項３】
請求項２の構成物を含むトランスジェニック細胞。
【請求項４】
配列番号６、または配列番号６のアミノ酸配列とは１つまたは２つの保存的アミノ酸置換残基が異なるアミノ酸配列を含む精製ポリペプチド。
【請求項５】
当該アミノ酸配列が、配列番号６である、請求項４の精製ポリペプチド。
【請求項６】
配列番号６のポリペプチドに結合する抗体。
【請求項７】
可能性あるヒト治療剤をスクリーニングする方法であって、配列番号６、または配列番号６の生理活性フラグメントを含むtsskポリペプチドを、候補化合物と接触させること、および当該候補化合物が選択的に当該tsskポリペプチドに結合するかどうかを決定することを含む当該方法。
【請求項８】
当該tsskポリペプチドを固体表面上に固定化し、当該候補を標識する、請求項７の方法。
【請求項９】
tsskキナーゼ活性のアンタゴニストを同定する方法であって、
インビトロキナーゼアッセイ組成物であって、ホスフェートの標識源、tssk基質、および配列番号６を含むtsskキナーゼを含む当該組成物を提供すること、
候補阻害化合物の存在下および非存在下での基質のリン酸化の速度を測定すること、および
アンタゴニスト化合物の非存在下で構成されるアッセイで観察されるキナーゼ活性と比べてtsskキナーゼ活性が減少するアンタゴニスト化合物を同定すること、
を含む当該方法。
【請求項１０】
ホスフェートの当該標識源が[γ３２Ｐ]ＡＴＰである、請求項９の方法。
【請求項１１】
当該tssk基質が、配列番号８のアミノ酸配列を含む、請求項９の方法。
【請求項１２】
２またはそれより多いtsskキナーゼが、キナーゼアッセイ組成物中に存在する、請求項９の方法。
【請求項１３】
アミノ酸配列配列番号６、または配列番号６の生理活性フラグメントを含むペプチド、および
医薬的に許容される担体、
を含む組成物。
【請求項１４】
添加物を更に含む、請求項１３の組成物。
【請求項１５】
当該アミノ酸配列が配列番号６である、請求項１３の組成物。
【手続補正２】
【補正対象書類名】明細書
【補正対象項目名】００２８
【補正方法】変更
【補正の内容】
【００２８】
本発明の１つの実施態様により、精製ポリペプチドを、配列番号４、配列番号５、配列番号６または配列番号９のアミノ酸配列、または配列番号４もしくは配列番号６とは１つもしくはそれより多い保存的アミノ酸置換残基が異なるアミノ酸配列を含むように提供する。より好ましくは、精製ポリペプチドは、配列番号４または配列番号６とは５未満の保存的アミノ酸置換残基が異なるか、より好ましくは２またはそれ未満の保存的アミノ酸置換残基が異なるアミノ酸配列を含む。
【手続補正書】
【提出日】平成16年10月21日(2004.10.21)
【手続補正１】
【補正対象書類名】特許請求の範囲
【補正対象項目名】請求項１
【補正方法】変更
【補正の内容】
【請求項１】
トルエンおよび／またはナフタレンの二原子酸素添加を行うことができるオキシゲナーゼを発現する微生物細胞を含む培養基をＤ−リモネンの存在下でインキュベートすること、および任意的に該培養基からトランス−カルベオールを回収することを含む、トランス−カルベオールの製造方法。
【手続補正２】
【補正対象書類名】特許請求の範囲
【補正対象項目名】請求項６
【補正方法】変更
【補正の内容】
【請求項６】
ロドコッカス（Rhodococcus）が、ロドコッカス・オペイカス（Rhodococcus opacus）ＰＷＤ４（ＤＳＭＺ４４３１３）である、請求項５記載の方法。
【手続補正３】
【補正対象書類名】特許請求の範囲
【補正対象項目名】請求項１０
【補正方法】変更
【補正の内容】
【請求項１０】
（ａ）ロドコッカス・グロベルルス（Rhodococcus globerulus）ＰＷＤ８（ＤＳＭＺ４４３０６）を含む培養基をリモネンの存在下でインキュベートすること、および（ｂ）該培養基からカルベオールおよび／またはカルボンを回収ことを含む、トランス−カルベオールおよび／またはカルボンの製造方法。
【手続補正４】
【補正対象書類名】明細書
【補正対象項目名】０００８
【補正方法】変更
【補正の内容】
【０００８】
【課題を解決するための手段】
本発明によれば、（ａ）トルエンおよび／またはナフタレンの二原子酸素添加を行うことができるオキシゲナーゼを発現する微生物細胞を含む培養基をＤ−リモネンの存在下でインキュベートすること、および任意的に（ｂ）該培養基からカルベオールを回収することを含む、トランス−カルベオールの製造方法が提供される。
【手続補正書】
【提出日】平成16年8月23日(2004.8.23)
【手続補正１】
【補正対象書類名】明細書
【補正対象項目名】特許請求の範囲
【補正方法】変更
【補正の内容】
【特許請求の範囲】
【請求項１】  クルイベロミセス  ラクティスのＫＥＸ１遺伝子によりコードされるアミノ酸配列に対応しかつ膜貫通ドメインを含まないアミノ酸配列を有し、最低５７かつ１００を越えないアミノ酸残基がＣ末端から除去されている、可溶性Ｋｅｘ１エンドプロテアーゼ。
【請求項２】  配列番号２の配列を有すること、もしくは配列番号２に関して９０％の相同性、好ましくは９５％の相同性をもつ配列を有することを特徴とする、請求項１に記載の可溶性Ｋｅｘ１エンドプロテアーゼ。
【請求項３】  請求項１に記載の可溶性Ｋｅｘ１エンドプロテアーゼをコードするＤＮＡ。
【請求項４】  （ａ）配列番号１の配列を有すること、（ｂ）配列番号１にハイブリダイズする配列を有すること、（ｃ）遺伝暗号の結果として、配列番号１の配列を有するＤＮＡに縮重した配列を有すること、および／もしくは（ｄ）配列番号１に関して９０％の相同性、好ましくは９５％の相同性をもつ配列を有することを特徴とする、請求項３に記載のＤＮＡ。
【請求項５】  請求項３ないし４のいずれか１つに記載のＤＮＡを含んで成るプラスミド発現ベクター。
【請求項６】  請求項５に記載の発現ベクターにより形質転換された宿主細胞。
【請求項７】  酵母細胞であることを特徴とする、請求項６に記載の宿主細胞。
【請求項８】  サッカロミセス  セレビシエ酵母細胞であることを特徴とする、請求項７に記載の宿主細胞。
【請求項９】  （ａ）目的のペプチドもしくはタンパク質の配列を含んで成りかつ目的のペプチドもしくはタンパク質のＮＨ２末端に請求項１ないし２に記載のエンドプロテアーゼにより加水分解可能なジペプチド部位を含有するアミノ酸配列を有する融合ポリペプチドもしくはタンパク質の製造；（ｂ）請求項１ないし２に記載のエンドプロテアーゼの存在下での上記の段階（ａ）で挙げられた融合ポリペプチドもしくはタンパク質のインビトロインキュベーション；（ｃ）目的のペプチドもしくはタンパク質の分離および精製を含んで成る、ペプチドもしくはタンパク質の製造方法。
【請求項１０】  加水分解可能なジペプチド部位が、Ｌｙｓ−Ａｒｇ、Ａｒｇ−ＡｒｇもしくはＰｒｏ−Ａｒｇであることを特徴とする、請求項９に記載の方法。
【請求項１１】  ペプチドもしくはタンパク質が、例えばペプチドホルモン、インターロイキン、インターフェロン、サイトカイン、成長因子、フィブリン溶解酵素のような治療的使用のための組換えタンパク質、および例えばリパーゼ、加水分解酵素、ヌクレアーゼ、酸化酵素、ホスファターゼのような生物触媒として使用できる工業的目的の組換え酵素から選択されることを特徴とする、請求項９に記載の方法。
【請求項１２】  請求項１ないし２に記載のエンドプロテアーゼが不溶性の有機もしくは無機支持体上に固定されることを特徴とする、請求項９に記載の方法。
【手続補正書】
【提出日】平成15年5月30日(2003.5.30)
【手続補正１】
【補正対象書類名】明細書
【補正対象項目名】特許請求の範囲
【補正方法】変更
【補正の内容】
【特許請求の範囲】
【請求項１】
ホームメードマヨネーズに類似する風味および食感を有し、添加剤を含有していない工業生産マヨネーズであって、光および空気防除包装材、特にテトラブリック内に包装されており、および
Ａ）エキストラバージンオリーブ油４０％〜８０％（重量／重量）、
Ｂ）エキストラバージンオリーブ油と精製オリーブ油との混合物２０％〜４０％（重量／重量）、
Ｃ）卵黄１０％〜２０％（重量／重量）、
Ｄ）リンゴ酢２％〜５％（重量／重量）、
Ｅ）レモンジュース０．５％〜２％（重量／重量）、
Ｆ）塩０．５％〜１．５％（重量／重量）、
を含有する組成を有することを特徴とする、上記工業生産マヨネーズ。
【請求項２】
そのｐＨ値が４．００〜４．１０の範囲にある、請求項１に記載の工業生産マヨネーズ。
【請求項３】
下記操作：
（１）（ｉ）リンゴ酢２％〜５％（重量／重量）、レモンジュース０．５％〜２％（重量／重量）および塩０．５％〜１．５％（重量／重量）を包含する酸性マッシュおよび（ｉｉ）卵黄１０％〜２０％（重量／重量）、エキストラバージンオリーブ油４０％〜８０％（重量／重量）およびエキストラバージンオリーブ油と精製オリーブ油との混合物２０％〜４０％（重量／重量）を包含する油性相エマルジョンを、別々に、同時に、または任意の順次で製造する；
（２）酸性マッシュ（ｉ）をエマルジョン（ｉｉ）と撹拌しながら混合し、均一な分散液を生成させる、次いで
（３）生成するマヨネーズを、光および空気防除包装材内に、特に自動式包装装置を用いてテトラブリック包装材内に包装する、
を包含する、請求項１および２のいずれかに記載の工業生産マヨネーズの製造方法。
【請求項４】
酸性マッシュ（ｉ）を、２３℃よりも低い温度でエマルジョン（ｉｉ）中に配合することを特徴とする、請求項３に記載の方法。
【請求項５】
エマルジョン（ｉｉ）の製造にあたり、卵黄を保存されている冷蔵庫から取り出し、使用前に、１５℃の温度に達するまで保持することを特徴とする、請求項３および４のいずれかに記載の方法。
【請求項６】
工程（２）を、２３℃の最高温度および−０．４〜−０．５大気圧減圧下において行うことを特徴とする、請求項３〜５のいずれかに記載の方法。